(57)【要約】【課題】任意の位置に容易に取り付けられ、衛生的であり、どのような人でも有効に利用できるステップを提供する。【解決手段】それぞれが平面視して足形または長円形の形状で、小便器の前方の床に、この床とは別体で、着脱可能に取り付けられている１対の足置台を有している小便器用ステップとした。この足置台にシートを取り付けてもよい。この構成を有することによって、任意の位置にステップを取り付けることができ、衛生的でかつ、どのような人でも有効に利用することができる。【選択図】図１
0003138961.tif 000002
【実用新案登録請求の範囲】
【請求項１】
それぞれが平面視して足形または長円形の形状で、小便器の前方の床に、この床とは別体で、着脱可能に取り付けられている１対の足置台を有する小便器用ステップ。
【請求項２】
上記足置台の上面には、プラスチック製又は紙製のシートが重なるようにそれぞれ取り付けられ、
このシートの交換が可能であり、
この足置台と、このシートの高さの合計が１ｃｍ以上になるように設けられた請求項１に記載の小便器用ステップ。
【請求項３】
上記足置台の上面は多数の凹凸を有し、
この足置台は床面と異なる色に着色している請求項１または請求項２のいずれかに記載の小便器用ステップ。
【考案の詳細な説明】
【技術分野】
【０００１】
本発明は小便器用ステップ、詳しくはトイレにおいて小便器の手前下方に配設され、使用者が足を載せるステップの改良に関する。
【背景技術】
【０００２】
従来の小便器用ステップについては、例えば特許文献１に、このステップを薄箱形に形成するとともに、この箱形本体の上面に一又は複数個の孔を穿設し、内部に液体用の吸収材を装填した構成のものが提案されている。
【特許文献１】特開２００２−２６４０５８号公報
【考案の開示】
【考案が解決しようとする課題】
【０００３】
しかしながら、上記の特許文献１に示される小便器用ステップは、尿の飛散による床の汚れを防止するため、また、大人でも子供でも利用できるようにするためには、かなりの大きさのステップが必要になる。また、吸収剤をステップに充填するため、ステップが重くなり、任意の位置に取り付けることはできない。また、ステップが汚染された場合は掃除を行う必要があるが、重いことから掃除の手間がかかるため、容易に掃除をすることができない。そのため、小便器を使用するたびに、ステップ自体が汚染されることになり、衛生的でない。
そこで、本考案は、床面の任意位置に容易に取り付けられ、衛生的であり、どのような人でも有効に利用できる小便器用ステップを提供することを目的とする。
【課題を解決するための手段】
【０００４】
請求項１に記載の考案は、それぞれが平面視して足形または長円形の形状で、小便器の前方の床に、この床とは別体で、着脱可能に取り付けられている１対の足置台を有する小便器用ステップである。
請求項１に記載の考案によれば、小便器用ステップでは、１対の足置台が小便器前方の床面に着脱可能に取り付けられているため、任意の位置にこれらの足置台を取り付けることができる。そのため、小便器を使用する際には、使用者の年齢や体格にあわせ足置台の設置位置を任意に変更することができる。
【０００５】
請求項２に記載の考案は、上記１対の足置台の上面には、プラスチック製又は紙製のシートがこれに重なるようにそれぞれ取り付けられ、このシートの交換が可能であり、この足置台とこのシートの高さの合計が１ｃｍ以上になるように設けられた請求項１に記載の小便器用ステップである。
この考案によれば、小便器用ステップは床面から一定の高さを有しているため、小便器用ステップ（シート）に足を載せて小便器を使用することで、ズボンの裾を汚すことを防止することができる。また、このシートの交換が可能であるため、これが汚れた場合も、新しいシートに簡単に取り替えることができ、きわめて衛生的である。
【０００６】
請求項３に記載の考案は、上記足置台の上面には多数の凹凸を有し、この足置台は床面と異なる色に着色している請求項１または請求項２のいずれかに記載の小便器用ステップである。
この考案によれば、足、靴などを小便器用ステップの足置台またはシートに載せる際に、その上面に凹凸が配設されているため、滑り止めの役割を果たす。また、複数の小便器が取り付けられている例えば学校などの便所においては、小便器用ステップごとに異なる色を着色することにより、便所の雰囲気を変えることが出来る。
【考案の効果】
【０００７】
この考案に係る小便器用ステップでは、使用者の年齢や体格に合わせ、足置台の位置を変更することができる。また、所定の高さを有する足置台を床面に取り付けているため、ズボンの裾が汚れることを防止することができる。また、シートの取り替えもできるため、衛生的である。
【考案を実施するための最良の形態】
【０００８】
以下、図に基づいて本考案の実施例を説明する。図１は本考案の実施例１に係る小便器用ステップの平面図である。図２はその断面図である。図３は本考案の実施例２に係る小便器用ステップの断面図である。図４は実施例１、２に係る小便器用ステップを小便器のある便所に取り付けたときの平面図である。図５はその側面図である。
【実施例１】
【０００９】
図１において、本考案が適用された小便器用ステップ１は、それぞれが足形の形状を有する１対の足置台２を備えている。これら１対の足置台２は、壁７に小便器４が取り付けられた便所の床６（例えば木材製の床）でその前方に所定距離だけ離れて取り付けられている。また、１対の足置台２は小便器４の前方で所定間隔離れて設けられている。
【００１０】
図２において、各足置台２は、所定厚さの薄い板材で構成され、断面長方形、平面視して足形の形状を有している。この足置台２の形状は平面視して長円形のものでもよい。例えば各足置台２はコンパネ製であるが、セラミックス製、プラスチック製、石板でもよい。ここにいうコンパネとは、合板、すなわち木材のチップや繊維状のものを固めたものである。
各足置台２は床６に着脱可能な状態で取り付けられている。詳しくは、この足置台２は、例えば水溶性接着剤３で床６に接着されている。床６から足置台２を取り外す場合は、水を足置台２と床６の接着面に注入することによって、この水溶性接着剤は水に溶かされ、足置台２を床６から外すことができる。この接着剤の種類は問わないが、溶剤に溶かすことができ、足置台２及び床６に溶剤が接触しても足置台２と床６に対して溶解するなどの影響のない溶剤を使うことできる接着剤を用いる。また、接着剤の代替として、例えば、足置台２の底部と、床６とを磁性材料で構成し、これら足置台２と床６とが磁力により固定される構造としてもよい。または、足置台２の下面に、吸盤を設け、吸盤は床面に吸着される構造をしてもよい。さらには、足置台２を床面６にボルトなどで連結してもよい。要するに、床材６とは別部材で形成した足置台２を床６の所定位置に取り外し可能に取り付けるものである。
この床面は、材質は木製であるが金属製、石板の平板でもよい。また、床６には排水用の溝が形成されていてもよい。ただし、吸盤で足置台２を床６に取り付ける場合は、床面が平坦である必要がある。
この足置台２はその上面が床と異なるカラフルな色で着色されている。例えばこの床面の色が白色であれば、この足置台２は青色に着色されている。このカラフルな色相により小便器用ステップ１が設けられている位置が一目で分かるようになっている。
また、複数の小便器４が取り付けられている例えば学校などの便所においては、小便器用ステップ１ごとに異なる色を着色することにより、便所の雰囲気を変えることが出来る。
この足置台２の平坦な上面には凹凸が形成されている。詳しくは、板材である足置台２はピッチングコート等のコーティング剤を用いて着色させる際に、その表面を粗化させた後に着色作業を行っている。そのため、足置台２の表面に凹凸が不規則な位置に形成され、滑り止めの役割を果たしている。または、板材の表面に何らかの手段（ショットピーニングなど）で凹凸を形成しておき、これに通常のスムースな塗装を施してもよい。なお、裏面は平滑面で構成してもよい。凹凸の断面形状は略多角形でも、略半円形でもよい。
【００１１】
上記小便器用ステップ１の床６からの高さは０．５〜１ｃｍであり、好ましくは１ｃｍである。また、この足置台２の最大の横幅は５〜１５ｃｍで、長さは２０〜３０ｃｍであり、好ましくは、最大の横幅７ｃｍ、長さは２７ｃｍである。大人用、子供用、小児用、女性用など用途別にそのサイズは調整できる。
【００１２】
上記の構成の１対の足置台２は、図４のように小便器４を使用した場合、尿が床に飛散しないように取り付けられている。図５では壁掛け型小便器４に小便器用ステップ１を取り付けたときの側面図を示す。なお、小便器にはいわゆる西洋型の腰掛け式便器も含まれる他、段差を形成した和式便器の場合も含まれる。
このように、小便器用ステップ１（足置台）は、小便器４の前方でこれに近い位置に設けられている。
尿を小便器４に放出する際にその勢いには個人差等がある。そのため、この小便器用ステップ１は、使用者の体格に応じて自在に取付位置を変更できるようになっている。すなわち、小便器４を大人が使う場合は小便器４からある程度離れた位置に取り付ける。また子供が小便器４を使う場合は、小便器４に近い位置に取り付ける。
この１対の足置台２は使用者の足を肩幅位に開く程度の間隔を設けている。
このように設けられた足置台２を用いて小便器４を使用する場合は、上記１対の小便器用ステップ１にそれぞれ足を載せて使用する。上記のように取り付けられていることにより、尿が床に飛散することを防止し、ズボンの裾を汚さずに小便器を使用することができる。
【実施例２】
【００１３】
次に、本考案の実施例２にかかる小便器用ステップ１について説明する。この小便器用ステップ１では、足置台２にシート５が取り付けられているタイプである。なお、実施例１と同様の部材、部品については、同一の符号を付し、その説明は省略する。
【００１４】
図３において、考案された小便器用ステップ１は、壁７に小便器４が取り付けられた便所の床６に取り付けられている１対の足置台２と、これらの足置台２の上面に取り付けられた足置台２とは別部材のシート５から構成されている。
【００１５】
上記足置台２は、実施例１の足置台２と比べて、高さは低い。その形状、材質などは、実施例１と同様であるが、この足置台２の上面と下面とは共に平滑になっている。
【００１６】
上記足置台２の上面には、この足置台２に重なるようにシート５が設けられている。このシートは、足置台２と同じ形状であるか、足置台２を包むことができる形状をしている。このシート５は１枚でも複数枚でもよい。このシート５はプラスチック製であるが、紙製でも、ゴム製でもよい。
このシート５の表面は全体に多数の小さな凹凸が設けられている。これらの凹凸はシートの上面を粗化させた後に、このシート５の下面を上記足置台２の上面に重ね合わせて例えば接着剤で張り合わされている。
このシート５は容易にこの足置台２から外すことができるものとする。例えば、このシート５の裏面とこの足置台２の上面は、面ファスナが取り付けられているものでもよい。また、シート５が袋状になっており、この足置台２の表面を包み込む形状でもよい。または、この足置台２の側面にホックを取り付け、このシート５の端部をホックにかける構造でもよい。
シート５が汚れたら、シート５を足置台２から取り外し、新しいシート５を足置台２に取り付けることができる。
このシート５は、上記足置台２と同じ色彩を呈している。すなわち、このシート５はカラフルな色相に着色されている。例えば、この床面の色が青であれば、このシート４は黄に着色される。この色相により小便器用ステップ１が設けられている位置が、一目で分かるようになっている。
また、複数の小便器４が取り付けられている所において、小便器用ステップ１ごとに異なる色を着色することにより、便所の雰囲気を変えることが出来る。
【００１７】
このシート５は消臭剤、防菌剤、有機物吸着剤、活性炭等を混ぜ合わせて形成してもよい。この場合、トイレの消臭効果や防菌効果からこの小便器用ステップ１だけでなく、トイレ全体がより衛生的になる。
【００１８】
上記小便器用ステップ１の床６からの高さは１〜２ｃｍであり、好ましくは１ｃｍである。
【００１９】
上記の構成の１対の小便器用ステップ１は、図４のように小便器４を使用した場合、尿が床に飛散しないように取り付けられている。図５では壁掛け型小便器４に小便器用ステップ１を取り付けたときの側面図を示す。
このように、小便器用ステップ１は、小便器４の前方の近い位置に設けられている。
尿を小便器４に放出する際の勢いなどには個人差がある。そのため、この小便器用ステップ１は、使用者の体格に応じて自在に取付位置を変更できるようになっている。すなわち、小便器４を大人が使う場合は小便器４からある程度離れた位置に取り付ける。また子供が小便器４を使う場合は、小便器４に近い位置に取り付ける。
この小便器用ステップ１は使用者の足を肩幅位に開く程度の間隔を設けている。
このように設けられた小便器用ステップ１を用いて小便器４を使用する場合は、上記小便器用ステップ１にそれぞれ足を載せて使用する。上記のように取り付けられていることにより、尿が床に飛散することを防止し、ズボンの裾を汚さずに小便器を使用することができる。また、シート５の取り外しは、シート５を剥ぐだけでよい。このため、手をあまり汚さずに、便所を衛生的に保つことができる。
さらに、このシート５の厚さを前側を薄く後側を厚くして全体として前方側が低くなるようわずかに（例えば６°程度）傾斜させてあってもよい。
【図面の簡単な説明】
【００２０】
【図１】本考案の実施例１に係る小便器用ステップの平面図を示す。
【図２】本考案の実施例１に係る小便器用ステップの断面図を示す。
【図３】本考案の実施例２に係る小便器用ステップの断面図である。
【図４】本考案の実施例１，２に係る小便器用ステップを小便器のある便所に取り付けたときの平面図である。
【図５】図４に示す小便器用ステップの取り付け状態を示すその側面図である。
【符号の説明】
【００２１】
１  小便器用ステップ、
２  足置台、
４  小便器、
５  シート。
【図１】
0003138961.tif 000003
【図２】
0003138961.tif 000004
【図３】
0003138961.tif 000005
【図４】
0003138961.tif 000006
【図５】
0003138961.tif 000007